(57)【特許請求の範囲】
【請求項１】
アクチュエータ（２）、特に電気モータ（２）、のための遮断装置（１）であって、縦軸線（３）と、機能ケーシング（１３）と結合されていてアクチュエータ（２）を少なくとも部分的に取り囲んでいる１部分又は複数部分から成る遮断ケーシング（６，７，８）と、弾性的な材料から形成された遮断エレメント（１４，１５）とを有しており、その際各遮断エレメント（１４，１５）は支持肩（２４，２５，２６）に接触しており、多数の遮断エレメント（１４，１５）が存在しており、これらの多数の遮断エレメントと別の多数の遮断エレメント（１４，１５）との間に保持エレメント（１９）が位置しており、かつアクチュエータ（２）が保持エレメント（１９）に取り付けられている、遮断装置において、
支持肩（２４，２５，２６）は軸方向の支持肩（２４．１，２５．１，２６．１）と半径方向の支持肩（２４．２，２５．２，２６．２）とを有しており、軸方向の支持肩（２４．１，２５．２，２６．１）及び半径方向の支持肩（２４．１，２５．２，２６．２）は互いに垂直を成しており、遮断エレメント（１４，１５）は、該遮断エレメント（１４，１５）の回転軸線（２７）が遮断装置（１）の縦軸線（３）に対して斜めに延びているように、軸線方向の支持肩（２４．１，２５．２，２６．１）と半径方向の支持肩（２４．２，２５．２，２６．２）とに接触していることを特徴とする、アクチュエータのための遮断装置。
【請求項２】
１つの遮断エレメント（１４，１５）のために少なくとも２つの支持肩（２４，２５，２６）が遮断ケーシング（６，７，８）又は機能ケーシング（１３）により形成されることを特徴とする、請求項１記載の遮断装置。
【請求項３】
１つの遮断エレメント（１４，１５）のために２つの支持肩（２４，２５，２６）が保持エレメント（１９）により形成されることを特徴とする、請求項２記載の遮断装置。
【請求項４】
遮断エレメント（１４，１５）が対をなして配置されていることを特徴とする、請求項２又は３記載の遮断装置。
【請求項５】
保持エレメント（１９）が、部分的に又は完全に環状に回っている半径方向の突起（３５）を有しており、かつ保持エレメント（１９）がその半径方向の突起（３５）に、遮断エレメント（１４，１５）の範囲において、少なくとも１つのスリット（３６）を有していることを特徴とする、請求項２から４までのいずれか１項記載の遮断装置。
【請求項６】
その都度２つの遮断エレメント（１４，１５）が１つのウェブ（２０）によって互いに結合されていることを特徴とする、請求項５記載の遮断装置。
【請求項７】
保持エレメント（１９）が、部分的に又は完全に環状に回っている半径方向の突起（３５）を有しており、かつ保持エレメント（１９）がその半径方向の突起（３５）に、遮断エレメント（１４，１５）の範囲において、少なくとも１つの切り欠き（４５）を有していることを特徴とする、請求項２から４までのいずれか１項記載の遮断装置。
【請求項８】
遮断ケーシング（６，７，８）若しくは機能ケーシング（１３）内で、支持肩（２４，２５，２６）が、遮断ケーシング（６，７，８）若しくは機能ケーシング（１３）の外側の範囲内の凹所（２３）によって形成されることを特徴とする、請求項２から７までのいずれか１項記載の遮断装置。
【請求項９】
少なくとも１つのコラム（４１）が存在しており、このコラムに、コラム（４１）の１つの端面における凹所（２３）によって、支持肩（２４，２５，２６）が形成されることを特徴とする、請求項２から７までのいずれか１項記載の遮断装置。
【請求項１０】
遮断ケーシング（６，７，８）又は機能ケーシング（１３）及び保持エレメント（１９）が軸方向及び半径方向の支持肩（２４.１，２４.２）を有しており、かつ少なくとも軸方向の支持肩（２４.１）は円弧形に構成されており、その際円弧形の支持肩（２４，２５，２６）の曲率は最高でも遮断エレメント（１４，１５）の曲率と等しいことを特徴とする、請求項８又は９記載の遮断装置。
【請求項１１】
遮断エレメント（１４，１５）が転動体として構成されていることを特徴とする、請求項１から１０までのいずれか１項記載の遮断装置。
【請求項１２】
転動体が球の形で構成されていることを特徴とする、請求項１１記載の遮断装置。
【請求項１３】
縦軸線（３）に対して垂直に延びている第１の平面内に、一方の複数の遮断エレメント（１４）があり、かつ第１の平面に対して平行に延びる平面内に他方の複数の遮断エレメント（１５）があることを特徴とする、請求項１から１２までのいずれか１項記載の遮断装置。
【請求項１４】
円周方向で隣り合っている遮断エレメント（１４，１５）の間の角度αがそれぞれ同じ大きさであることを特徴とする、請求項１から１３までのいずれか１項記載の遮断装置。
【請求項１５】
遮断エレメント（１４，１５）が、縦軸線（３）に対して平行に延びる線（１８）上で、互いに上下に位置していることを特徴とする、請求項１から１４までのいずれか１項記載の遮断装置。
【発明の詳細な説明】
【０００１】
背景技術
本発明は、請求項１の上位概念によるアクチュエータのための遮断装置から出発する。
【０００２】
遮断エレメントによって遮断ケーシングを介して機能ケーシングと結合されているアクチュエータ、特に電気モータ、の運転中に、例えばアクチュエータの主励起振動方向に接線方向の回転振動が、かつ半径方向及び軸方向に振動が、生じる。このことはアクチュエータと遮断ケーシングとの間の遮断にとって、それが接線方向では特に柔らかく、かつ軸方向若しくは半径方向ではそれよりも著しく固くなければならないことを、意味している。アクチュエータ及び電気モータのための遮断装置は公知であるが、しかしながらこれらの公知の遮断装置は比較的に固い。これによって、電気モータの回転騒音及び例えば電気モータに接続されている送風機の、回転に基づいて、例えば送風機車のアンバランスによって、生ぜしめられる振動は、送風機ケーシングに高程度に伝達され、不所望の騒音発生をもたらす。
【０００３】
一面ではアクチュエータ又は電気モータを支持範囲に保持し、かつ他面では振動減衰を行う弾性的な遮断エレメントの場合には、これらの互いに矛盾する要求により、遮断エレメントはプレストレスをかけられる。振動の減衰は遮断エレメント内のこね作用によって行われるので、最適な遮断は不可能である。
【０００４】
また遮断エレメントはその固有振動数を、遮断エレメントの固有振動数がアクチュエータの固有振動数の明確に外方に位置するように、調整される。このようにして振動減衰を部分的に高めることができる。
【０００５】
EP 0 682 396 A2 から、弾性的な球、有利にはエラストマから成る球、を使用して、２つの構造部分を互いに遮断することが公知である。この場合球はそれぞれだ円面の窪み内に収容されていて、したがって球はある程度自由に回転運動することが可能である。各構造部分はこのような窪みを有しており、これらの窪みはそれぞれの構造部分に、２つの構造部分の窪みが組み込まれた状態で互いに向き合うように、形成されている。窪みはウェブに設けられている。
【０００６】
しかしこの配置は、中央の保持エレメントを必要とし、かつ振動減衰のために、縦軸線の回りに配置されている更に別の弾性的なエレメントを必要とする。
【０００７】
発明の利点
これに対し、請求項１の特徴構成要件を具備した本発明による遮断装置は、簡単な形式で、アクチュエータのすべての生じる振動のほとんど理想的な遮断が達成されるという、利点を有している。
【０００８】
従属請求項に記載されている手段によって、請求項１に記載されている遮断装置の有利な展開及び改善が可能である。
【０００９】
有利には、遮断エレメントはアンギュラ玉軸受けの形で配置される。それはこれによって大きな力を受け止めることができ、かつ接線方向の振動を減衰することができるからである。半径方向及び軸方向の振動は球の弾性的な圧縮によって減衰される。遮断エレメントはシステムのすべての負荷方向において単に圧縮負荷だけを受ける。このことは、良好な耐振動強度を意味する。
【００１０】
遮断エレメントとして特に有利なのは、エラストマから成る球の形の転動体であり、これらの球は、保持エレメントのスリット内に挿入されているウェブによって互いに結合されている。このようにして遮断エレメントは極めて簡単に保持し、取り付けることができる。
【００１１】
更に、遮断エレメントのための支持肩を形成する凹所を円弧形に形成するのが有利である。
【００１２】
また、遮断エレメントを円周方向で一様に分配するのが有利である。
【００１３】
実施例の説明
図１は、アクチュエータ２を有する遮断装置１の断面図を示す。遮断装置１及びアクチュエータ２，例えば電気モータ２，のこの配置は縦軸線３を有している。遮断装置１は遮断ケーシング６から成り、この遮断ケーシングは例えば２つの例えばリング形の部分７、上方部分、及び８，ベース部分、から組み立てられる。遮断ケーシング６には機能ケーシング１３例えば送風機ケーシング１３が接続しており、この送風機ケーシングは電気モータにより駆動される送風機１２を取り囲んでいる。遮断ケーシング６のベース部分８は例えば機能ケーシング１３の部分であることもできる。その場合には遮断ケーシング６はケーシング部分７及び１３によって形成される。
【００１４】
遮断装置１は更に、弾性的な遮断エレメント１４，１５と、ここでは例えばリング形の保持エレメント１９とから組み立てられている。遮断エレメント１４，１５はここでは例えば転動体であり、この転動体はここでは例えば球形に構成されていて、例えばエラストマから成っている。
【００１５】
遮断エレメント１４，１５はここでは例えば対をなして、縦軸線３に対して平行に延びている線１８に沿って、互いに上下に配置されている。アクチュエータ２は少なくとも間接的に保持エレメント１９に結合されている。
【００１６】
遮断エレメント１４，１５は例えばウェブ２０によって互いに結合されている。線１８に対して平行に延びているウェブ２０の縦軸線は、遮断装置１が組み立てられた状態では、縦軸線３に対して平行に延びている。ウェブ２０によって両方の遮断エレメント１４，１５は極めて簡単に組み合わせて保持することができ、かつ保持エレメント１９に取り付けることができる。
【００１７】
両方の遮断ケーシング半部７，８，１３内には、縦軸線３に向かって開いて、半径方向で外方の縁範囲内に、凹所２３があり、これらの凹所は、遮断ケーシングの上方部分７若しくはベース部分８，１３内の、遮断エレメント１４，１５のための支持肩２４，２５を形成している。遮断ケーシング６，７，８，１３の内部に位置している保持エレメント１９は、支持肩２４，２５と向き合っている支持肩２６を形成している。
【００１８】
支持肩２４〜２６は、半径方向に形成されていて半径方向の支持肩２４.２，２５.２，２６.２と呼ばれる区分を有している。これらの半径方向の支持肩には軸方向の力が作用する。更に支持肩２４〜２６は、軸方向に形成されていて軸方向の支持肩２４.１，２５.１，２６.１と呼ばれる区分を有している。これらの軸方向の支持肩には半径方向の力が作用する。軸方向の支持肩２４.１，２５.１，２６.１及び半径方向の支持肩２４.２，２５.２，２６.２はここでは例えば互いに垂直である。支持肩２４.１は軸方向の支持肩である。それはこの支持肩は縦軸線に対してほぼ平行に延びているからである。支持肩２４.２は半径方向の支持肩である。それはこの支持肩はここでは縦軸線３に対してほとんど垂直に延びているからである。
【００１９】
遮断エレメント１４，１５が凹所２３（図７）内に保持され、かつウェブ２０によって互いに結合されていることによって、保持エレメントは縦軸線３の回りで完全に回転することは不可能である。
【００２０】
この場合支持肩２４〜２６は次のように構成されている。すなわち保持エレメント１９が遮断ケーシング６，７，８，１３に対して回動する場合、遮断エレメント１４，１５が回転軸線２７を中心にして転動するように、構成されている。このことは原理的に、複列アンギュラ玉軸受けの配置に相当する。両方の方向での軸方向の力を受け止めるために、遮断エレメント１４，１５は逆向きに配置されている。これは玉軸受けの専門用語ではＸ配置又はＯ配置に相当する。
【００２１】
図２は、アクチュエータ２が運転中である場合に生ずる軸方向３０、半径方向３１及び接線方向３２の振動方向を示す。アクチュエータ２のこれらの振動を遮断装置１が例えば送風機ケーシング１３に対して遮断しなければならない。
【００２２】
図３は、例えば横断面が円形の２つの遮断エレメント１４，１５がウェブ２０によって例えば互いに結合されている状態を示す。線１８に対して垂直なウェブ２０の横断面は四角形あるいはまた例えば円形であることができる。
【００２３】
図４は、図１の遮断ケーシング６の上方部分を下面図及び上面図（図４のａ，ｃ）及び横断面図（図４のｂ）で示す。
【００２４】
上方部分７は例えば円形の環状の横断面輪郭を有している。例えば正方形の横断面輪郭のような別の異なった横断面輪郭も考えることができる。上方部分７は、図４のｂに破線で示すように、鉢状形状３３に構成することもできる。上方部分７にはここでは例えば３つの凹所２３があり、これらの凹所は遮断エレメント１４のための支持肩２４.１，２４.２を形成する。図４のａにおいては凹所２３から、図平面に対して垂直に延びる縦軸線３に向かって中心線が記入されている。これから認められるように、円周方向で隣り合っている凹所２３及び凹所２３内にある遮断エレメント１４は、例えばそれぞれ同じ角度αをなしている。図１のＶＩＩ−ＶＩＩ線に沿った断面図である図７には凹所２３が一層明確に示されている。
【００２５】
組み付けられた状態では、遮断エレメント１４，１５は支持肩２４.１，２４.２，２５.１，２５.２に支えられている。
【００２６】
図４のｂにおいては縦軸線３に対して垂直に延びる平面３４が記入されており、この平面は半径方向の支持肩２４.２を通って延びている。これによって凹所２３ひいては遮断エレメント１４は例えば１つの平面内にある。
【００２７】
上方部分７の外方の範囲には孔３７が存在しており、これらの孔を通して例えばねじが導かれて、上方部分７をベース部分８，１３に結合する。
【００２８】
凹所２３の範囲内で、上方部分７に保持エレメント１９に向かって開いている細長い刻み目４３が設けられており、これらの刻み目内に保持エレメント１９の半径方向の突起３５（図５）が係合する。
【００２９】
遮断ケーシング１の上方部分７はプラスチック、金属又はセラミックから成っている。
【００３０】
図５は例えばリング形に構成されている保持エレメント１９を示す。保持エレメント１９はここでは例えば図４の遮断ケーシング６の上方部分７の横断面輪郭に適合せしめられている。別の異なった横断面輪郭も考えることができる。
【００３１】
保持エレメント１９は少なくとも１つの半径方向の突起３５を有している。この半径方向の突起３５は保持エレメント１９の外方の縁に配置されている。この半径方向の突起３５は例えば保持エレメント１９全体を環状に回ることができる。しかし半径方向の突起は、図５のｂに示すように、組み付けられた状態において、ここでは破線で示されている遮断エレメント１４，１５があるところだけに存在して、遮断エレメント１４を遮断エレメント１５から分離することもできる。
【００３２】
部品の数を減らすために遮断エレメント１４，１５がウェブ２０によって互いに結合されている場合には、例えば保持エレメント１９は突起３５にスリット３６を有しており、このスリット内にウェブ２０が差し込まれる。このことは組み立てを容易にする。突起３５内へのスリット３６は少なくとも、ウェブ２０によって結合されていいる遮断エレメント１４，１５が保持エレメント１９の支持肩２６に接触するまで差し込まれ得るような、深さでなければならない。
【００３３】
遮断エレメント１４，１５がウェブ２０によって互いに結合されることなしに、個別的に取り付けられる場合には、スリットの代わりに、切り欠き４５例えば軸方向の孔４５を設けて、遮断エレメント１４，１５をその中に部分的に位置せしめ、これにより保持エレメント１９が縦軸線３の回りを完全に回転し得ないようにすることができる。
【００３４】
保持エレメント１９の切り欠き４５若しくは孔４５は例えば、遮断ケーシング６及び保持エレメント１９が組み付けられた状態においてこれらの切り欠きが遮断エレメント１４，１５の間の中央に位置するように、製作されている。この場合、ここで破線で示されている遮断エレメント１４は孔４５内に位置する。孔４５の直径は、軸方向で互いに向かい合っている遮断エレメント１４，１５が組み付けられた状態で互いに接触することがないような大きさにする。この場合孔４５の直径は孔４５の箇所における保持エレメント１９の厚さに関連している。
【００３５】
保持エレメント１９は遮断エレメント１４，１５の数に応じて、同じ数の切り欠き４５若しくはスリット３６を有している。保持エレメント１９には例えば単にスリット３５だけ、あるいは単に切り欠き４５だけを設けておくことができる。突起３５においてスリット３６と切り欠き４５とを任意に組み合わせることも考えることができる。保持エレメント１９は、遮断エレメント１４，１５のための軸方向及び半径方向の支持肩２６.１，２６.２を有しており、その際各半径方向の突起３５の前面３９及び背面４０にはそれぞれ１つの半径方向の支持肩２６.２が形成されており、かつこれに対して垂直なリング体４２には突起３５によって分離されて、それぞれ１つの軸方向の支持肩２６.１が形成されている。
【００３６】
保持エレメント１９における切り欠き３８は、組み付けられた状態において、例えばケーシング部分７，８，１３を互いに結合するねじが延びる箇所にある。
【００３７】
保持エレメント１９はプラスチック、金属あるいはセラミックから成っている。
【００３８】
図６は遮断ケーシング６のベース部分８の下面図及び上面図（図６のａ，ｃ）及び横断面図（図６のｂ）を示す。
【００３９】
ベース部分は例えばリング状の横断面輪郭を有している。このベース部分８にはここでは例えば３つの凹所２３があり、これらの凹所は、遮断エレメント１５のための支持肩２５を形成しており、保持エレメント１９に向かってかつベース部分８の内縁２２に向かって開いている。
【００４０】
凹所２３ひいては遮断エレメント１５は例えば１つの平面内にある。
【００４１】
ベース部分８の外側の範囲には少なくとも１つの孔３７が存在している。部分８のこの孔３７を通して、かつ部分７の別の孔を通して、例えばねじが導かれて、ベース部分８が上方部分７と結合される。部分８の凹所２３はその場合例えば部分７の凹所２３と重なって位置する。
【００４２】
遮断ケーシング６のベース部分８はプラスチック、金属あるいはセラミックから成っている。
【００４３】
組み立ての際に、部分６，７，１９及び６，８若しくは１３は、それぞれの凹所２３及びスリット３６が互いに上下に重なるように、組み付けられる。この場合別の定心エレメントは必要でない。
【００４４】
図７は図１のＶＩＩ−ＶＩＩ線に沿った断面図を示す。支持肩２４は凹所２３によって形成され、かつここでは例えば円弧形に、ほぼ半円形の形に形成されていて、例えばアクチュエータとしての電気モータ２がトルクを生ぜしめて、これにより転動する際に、球として構成されている遮断エレメント１４が弾性的に圧縮され、弾性的な変形によって戻し力が生ぜしめられる。円弧形の凹所２３としての形成は戻し力の累進的な増大を生ぜしめる。それは遮断エレメント１４，１５の変形が累進的に増大するからである。この場合ウェブ２０の弾性的な変形はあまり重要ではない。円弧形の凹所２３の曲率は例えば遮断エレメント１４の曲率よりも小さい。凹所２３は例えばだ円形に構成しておくこともできる。この場合このだ円形の最大の曲率は最高でも球１４の曲率に等しい。
【００４５】
遮断エレメント１４，１５及び凹所２３がだ円形に構成されていることも考えることができる。転動体の形の遮断エレメント１４，１５及び凹所２３の形成の際の別の組み合わせも考えることができる。凹所２３は半径方向で、遮断エレメント１４が取り付けられた場合に、保持エレメント１９とケーシング６，７とが接触することがないように、形成されている。要するに充分に大きな遊びがケーシング６，７と支持肩２６.１との間に存在している。
【００４６】
図７についてのこの説明は図１の部分８の凹所２３の断面図についても、同じように当てはまる。
【００４７】
図８のａ〜ｃは遮断装置１及び遮断エレメント１４，１５の別の実施例を示す。遮断エレメント１４，１５は例えば半球形に構成されている。
【００４８】
図８のｂにおいては、図８のａの遮断エレメント１５の上面図が、ケーシング６，７，８，１３及び保持エレメント１９なしに、示されている。遮断エレメント１５は例えば線１８に関して円形の半径方向の横断面を有しており、かつニップル４６を備えている。ニップルは例えば円形の横断面を有している。
【００４９】
図８のｃにおいては、図８のｂに示した遮断エレメント１５が側面図で示されている。遮断エレメント１５の、線１８に関しての軸方向の横断面は、例えばだ円形に構成しておくこともできる。
【００５０】
遮断エレメント１４，１５のニップル４６は保持エレメント１９の例えば存在している孔４５内に突入し、したがって保持エレメント１９は、縦軸線３を中心として完全に回転することは不可能である。遮断エレメント１４，１５のニップル４６の高さは、両者がせいぜい接触するように、構成されている。遮断エレメント１４，１５は、例えば両方のニップル４６が共通のウェブ２０を形成するこによって、互いに結合しておくこともできる。その場合これらの遮断エレメントは保持エレメント１９のスリット３６内に挿入することができる。保持エレメント１９は遮断装置のこの実施例においては、遮断エレメント１４，１５が転動する支持肩は有していない。
【００５１】
図９は遮断ケーシング６若しくは機能ケーシング１３の別の実施例を示す。同じ符号は図１と同じであるので、改めて説明することはしない。遮断エレメント１４，１５は、例えば対をなして、縦軸線３に対して平行に延びる線１８に沿って、互いに上下に配置されている。図１に対するこの構成の相違点は、凹所２３が遮断ケーシング６の部分７，８，１３の縁にあるのではなしに、コラム４１に形成されている点である。支持肩２４，２５を通る、縦軸線３に対して垂直なコラム４１の横断面は、例えば図７と同じである。この場合、線１８に対して平行に延びるコラム４１の縦軸線は例えば縦軸線３に対して平行に延びている。遮断ケーシング部分７，８，１３内のコラム４１の高さは、遮断エレメント１４，１５が、組み付けられた状態において、それぞれの軸方向の支持肩２４.１，２５.１に支えられるように、選ばれている。２つのケーシング部分７，８，１３のコラムは互いに接触することもできる。コラム４１は縦方向で見てケーシング部分７，８，１３を超えて突出することもできる。また、例えば外側のケーシング部分（図１）の凹所とコラム（図９）の凹所とがケーシング部分６，７，８，１３の１つの構成において存在していることもできる。
【００５２】
遮断エレメント１４，１５が互いに上下にあることは、必ずしも必要なことではない。例えば図１，４及び６に示されているように、凹所２３を有する遮断ケーシング部分７及び８若しくは１３を縦軸線３の回りに任意の角度だけ回動させることができる。その場合にはウェブ２０による結合はもはや不可能である。その場合、図５において説明したように、遮断エレメント１４，１５がある箇所に切り欠き４５が存在していなければならない。
【００５３】
図１０は、保持エレメント１９及び遮断ケーシング部分７，８，１３のための別の実施例を示す。遮断エレメント１４，１５若しくは１４′，１５′は例えば互いに上下に配置されていない。遮断エレメント１４，１４′若しくは１５，１５′は縦軸線３に対して垂直に延びる平面内にはない。遮断装置１の１つの構成において、ウェブ２０によって互いに結合されている遮断エレメント１４′，１５′（図１０の右半部）と、ウェブによって互いに結合されていない別の遮断エレメント１４，１５（図１０の左半部）とを使用することができる。遮断エレメント１４，１５はいぼ突起４８を有しており、このいぼ突起は切り欠き４５、例えば孔４５，若しくはスリット３６内に突入する。遮断エレメント１４′，１５′はウェブ２０によって互いに結合されており、このウェブは、遮断装置１が組み付けられた状態において、縦軸線３に対して平行に延びていない。
【００５４】
図１１は保持エレメント１９及び遮断ケーシング６の別の配置可能性を示す。同じ符号は図１，５と同じであるので、改めて説明することはしない。
【００５５】
この場合遮断エレメント１４，１５は例えば対をなして、縦軸線３に対して平行に延びている線１８に沿って互いに上下に配置されている。凹所２３はこの場合コラム４１に形成されている。コラム４１の縦軸線５２はこの場合例えば縦軸線３に対して垂直に延びている。コラム４１の縦軸線５２は縦軸線３に対して別の角度で構成しておくこともできる。
【００５６】
保持エレメント１９はこの場合縦軸線３から最も離れた軸方向の支持肩２６.１を形成している。軸方向の支持肩２４.１の表面は例えば縦軸線３に対して平行には延びていない。
【００５７】
図１２は、遮断ケーシング６，７，８，１３内の支持肩２４〜２６及び保持エレメント１９の別の構成可能性を示す。この場合支持肩２４〜２６は、回転軸線２７が縦軸線に対して垂直に延びるように、構成されている。
【００５８】
この場合凹所２３の曲率半径は例えば遮断エレメント１４，１５の曲率半径と等しい。これによって軸方向及び半径方向の支持肩を明確に表すことは不可能である。
【００５９】
遮断ケーシング部分７内で例えば４つの遮断エレメントを既に述べた形式で取り付け、かつ他方の遮断ケーシング部分８，１３内で例えば５つの遮断エレメントを既に述べた形式で取り付けることもできる。負荷の高さに応じて別の組み合わせも考えることができる。
【図面の簡単な説明】
【図１】  遮断装置を有しているアクチュエータの断面図を示す。
【図２】  存在する負荷方向の概略図を示す。
【図３】  遮断エレメントの１実施例を示す。
【図４】  ａ〜ｃは遮断ケーシングの第１の部分を示す。
【図５】  ａ，ｂは保持エレメントを示す。
【図６】  ａ〜ｃは遮断ケーシングの第２の部分を示す。
【図７】  図１のＶＩＩ−ＶＩＩ線に沿った断面図を示す。
【図８】  遮断装置及び遮断エレメントの別の実施例を示す。
【図９】  遮断ケーシングの別の実施例を示す。
【図１０】  保持エレメント及び遮断ケーシングのための別の実施例を示す。
【図１１】  保持エレメント及び遮断ケーシングの別の配置可能性を示す。
【図１２】  遮断ケーシング及び保持エレメントの支持肩の別の構成可能性を示す。
【符号の説明】
１  遮断装置、２  アクチュエータ、電気モータ、３  縦軸線、６  遮断ケーシング、７  リング形の部分、上方部分、遮断ケーシング半部、遮断ケーシング部分、８  ベース部分、遮断ケーシング半部、１２  送風機、１３  機能ケーシング、送風機ケーシング、ケーシング部分、遮断ケーシング半部、ベース部分、１４  遮断エレメント、球、１４′  遮断エレメント、１５  遮断エレメント、１５′  遮断エレメント、１８  線、１９  保持エレメント、２０  ウェブ、２２  内縁、２３  凹所、２４  支持肩、２４.１  軸方向の支持肩、２４.２  半径方向の支持肩、２５  支持肩、２５.１  軸方向の支持肩、２５.２  半径方向の支持肩、２６  支持肩、２６.１  軸方向の支持肩、２６.２  半径方向の支持肩、２７  回転軸線、３０  軸方向、３１  半径方向、３２  接線方向、３３  鉢状形状、３４  平面、３５  突起、３６  スリット、３７  孔、３８  切り欠き、３９  前面、４０  背面、４１  コラム、４２  リング体、４３  刻み目、４５  切り欠き、孔、４６  ニップル、４８  いぼ突起、５２  縦軸線、α  角度
【図１】
0004555528.tif 000002
【図２】
0004555528.tif 000003
【図３】
0004555528.tif 000004
【図４】
0004555528.tif 000005
【図５】
0004555528.tif 000006
【図６】
0004555528.tif 000007
【図７】
0004555528.tif 000008
【図８】
0004555528.tif 000009
【図９】
0004555528.tif 000010
【図１０】
0004555528.tif 000011
【図１１】
0004555528.tif 000012
【図１２】
0004555528.tif 000013